(57)【要約】【課題】樹脂製板とすると、経年変化による劣化で吹き出し口の固定部が破損してしまい脱落してしまうおそれがあった。【解決手段】住宅において外部や部屋間の吹き出し口に取り付けられる吹き出しグリルあって、化粧パネルと風量および風向を調節するための羽根とを備え、設置面の表面化粧パネルは。樹脂製板で形成され、前記設置面に対する立ち上がりに傾斜を設け、設置面への着脱箇所には金属性の補強部材を備えたことを特徴とする。【選択図】図２
2013204843.tif 000002
【特許請求の範囲】
【請求項１】
住宅において外部や部屋間の吹き出し口に取り付けられる吹き出しグリルあって、化粧パネルと開口部に風量および風向を調節するための羽根とを備え、設置面の化粧パネルは。樹脂製板で形成され、前記設置面に対する立ち上がりに傾斜を設け、設置面への着脱箇所には金属性の補強部材を備えたことを特徴とする吹き出しグリル。
【請求項２】
請求項１に記載の吹き出しグリルであって、
前記化粧パネルは、開口部内側にすべり角をさらに備えたことを特徴とする吹き出しグリル。
【発明の詳細な説明】
【技術分野】
【０００１】
この発明は、住宅（集合住宅含む）において、外部や部屋間の吹き出しグリルに関するものである。
【背景技術】
【０００２】
従来、住宅では、外部との給排気や部屋間の通気を行うために、吹き出し口を設けている。この吹き出し口を塞ぐように脱着可能な吹き出しグリルを装着するようにしている。
この吹き出しグリルの化粧板は、金属板で形成されているものもあれば、樹脂製板でされているものもある。（たとえば、特許文献１参照）
【０００３】
また、吹き出しグリルは、吹き出し口からの冷風または温風の風向や風量を変更できるように、開口部に複数本の羽根を設け、この羽根が回動することにより調整できるようになっている。
【先行技術文献】
【特許文献】
【０００４】
【特許文献１】特開平１１−１１８２２４号公報
【発明の概要】
【発明が解決しようとする課題】
【０００５】
しかしながら、金属板の化粧板とすると、結露により金属部分が錆びてしまうことがあった。また、樹脂製板とすると、経年変化による劣化や吹き出し風のよどみなどにより吹き出し口の固定部が破損してしまい、脱落してしまうおそれがあった。
【０００６】
この発明は、これらの課題を解決するためになされたもので、吹き出しグリルの外枠化粧板を樹脂製パネルとし、吹き出しグリルが脱落しないように吹き出し口の固定部を金属製の板で補強した吹き出しグリルを提供することを目的とする。
【課題を解決するための手段】
【０００７】
この発明の請求項１に係る吹き出しグリルは、住宅において外部や部屋間の吹き出し口に取り付けられる吹き出しグリルあって、化粧パネルと風量および風向を調節するための羽根とを備え、設置面の表面化粧パネルは。樹脂製板で形成され、前記設置面に対する立ち上がりに傾斜を設け、設置面への着脱箇所には金属性の補強部材を備えたことを特徴とする。
【０００８】
この発明の請求項２に係る吹き出しグリルは、開口部内側にすべり角をさらに備えたことを特徴とする。
【発明の効果】
【０００９】
この発明によれば、化粧パネルを樹脂製とし、給排気口への固定部分には補強材料を金具として設けたことにより、材料としての樹脂の経年変化による劣化を補強し、脱落防止することができる。
【００１０】
また、嵌め込み面の立ち上がりに傾斜を設けたことにより、吹き出し口に固定した場合に、設置面を密着させることができ、熱の吹き溜まりを防ぐことができる。
【００１１】
また、開口部内側にすべり角を設けたことにより、室内への吹き出し風を拡散させやすく、さらに室内からの空気の侵入をできるだけ少なくすることができる。
【図面の簡単な説明】
【００１２】
【図１】実施の形態に係る吹き出しグリルを設置した断面図である。
【図２】吹き出しグリルを正面から見た図である
【図３】吹き出しグリルの固定部を拡大した図である。
【図４（ａ）】従来品の開口部内側の風の流れを示したものである
【図４（ｂ）】実施の形態に係るグリルの開口部内側にすべり角を設けたものおける風の流れを比較した図である。
【発明を実施するための形態】
【００１３】
以下、本発明の実施の形態を図面に基づいて説明する。尚、異なる実施の形態において、同一又は同様の作用効果を奏する箇所については、同一の符号を付してその説明を省略する。
【００１４】
〔実施の形態１〕
図１を用いて吹き出し口グリルが吹き出し口に嵌めこまれ固定されている状態での断面図を用いて説明する。
【００１５】
吹き出し口グリル１は、吹き出し口２に嵌めこまれるものであり、天井や壁などの吹き出し口２に嵌合され、吹き出し口グリル１の外周部４が天井や壁と接するように設置される。そして、室内温度が設定された温度となるように、吹き出し口からダクト接続口３に接続されたダクトを介して室内へ給気または排気を行い、風量を調節するようにするものである。
【００１６】
次に図２を用いて、吹き出し口グリルについて説明する。外枠化粧板１０は、樹脂製であり、吹き出し口２の形状に沿ったものとなっている。ここで四隅は、曲線としている。また、吹き出し口２との設置面となる外周部４は、隙間を作らないように斜めに形成されている。また、吹き出し口との固定部には、補強金具１１が付けられ、ねじ孔１３が設けられている。開口部には、複数の羽根１２が回動自在に縦横に設置されている。この羽根１２は、吹き出し口からの風を拡散させ。調節された風量、また、あらかじめ決められた風向に従って、室内へ供給するものである。
【００１７】
また、図３を用いて、補強金具１１について説明する。
金属製の補強金具１１は、外枠化粧板１０の内側四隅にはめ込まれている。ここでは、天井あるいは壁の吹き出し口に固定するためのねじ孔１３を設けている。
【００１８】
また、図４（ａ）および（ｂ）を用いて吹き出し口からの室内への風の流れについて開口部内側にすべり角１４を設けたものとそうでないものとを比較した結果を示して説明する。図４（ａ）に示したのは、従来品である。化粧パネルの開口部内側は直角となっており、角に衝突することで逆方向（左向き）の気流が発生し、よどみができていることがわかる。また、吹き出し風が拡散しにくいため、室内の空気がグリル内に侵入しやすい状態となっていることがわかる。
【００１９】
これに対して、図４（ｂ）に示したのは、本願の吹き出し口グリルである。すべり角１４（曲線）を設けると、内側に拡散させやすく、さらによどみを少なくし、室内空気の侵入をできるだけ少なくできるように気流を調節することができる。
【００２０】
以上より、実施の形態によれば、吹き出し口グリルの外枠の材質を樹脂製にしたことにより、結露を防ぐことができるとともに、吹き出し口に固定する際については、補強金具を装着することにより、樹脂による経年変化があっても脱落防止を行なうことが可能となる。
【００２１】
さらに、開口部内側にすべり角１４を設け、曲線とすることにより、吹き出し風を拡散させやすく、逆方向の気流の発生をできるだけ少なくし、よどみを改善することが可能となる。
【００２２】
本発明の実施形態を図面を参照して詳述してきたが、具体的な構成は、上述した実施の形態の構成に限られるものではなく、本発明の趣旨を逸脱しない範囲の設計の変更などがあっても本発明に含まれることは言うまでもない。
【符号の説明】
【００２３】
１    吹き出し口グリル
２    吹き出し口
３    ダクト接続口
４    外周部
１０  外枠化粧板
１１  補強金具
１２  羽根
１３  ねじ孔
１４  すべり角
【図１】
2013204843.tif 000003
【図２】
2013204843.tif 000004
【図３】
2013204843.tif 000005
【図４（ａ）】
2013204843.tif 000006
【図４（ｂ）】
2013204843.tif 000007